(57)【要約】      （修正有）【課題】各種サイズのデジタルプレーヤに適用するインターフェース装置を提供する。【解決手段】デジタルプレーヤーを出入りさせる穿通孔１１を設け、且つ、両端部にそれぞれ第一嵌合部件１２及び第二嵌合部件１３とを備えたアダプタ１と、導引リブ２１及び凹槽とを備え、且つ、凹槽内に固定弾力部件を設けたアダプタ固定素子２及び、導引凹槽３１と、拘束槽３２及びアダプタ挟持素子３３とを設けた基体３とを有する可換アダブタを備える。【選択図】図１
2010262724.tif 000002
【特許請求の範囲】
【請求項１】
デジタルプレーヤーを出入させる穿通孔を設け、且つ両端部にそれぞれ第一嵌合部件及び第二嵌合部件とを備えたアダプタ(adapter)と、
下部表面に導引リブ(guiding
lib)及び凹槽(groove)とを備え 、且つ前記凹槽内に固定弾力部件を設けたアダプタ固定素子(fixing element)及び
上部表面に導引凹槽と、拘束槽(restriction
groove)及びアダプタ挟持素子とを設け、前記アダプタ固定素子の導引リブをその導引凹槽内に摺動でき、その拘束槽は、前記アダプタ固定素子が最初位置にある場合は、前記固定弾力部件を容納し、前記アダプタが基体(chassis)上に位置する場合は、前記アダプタ挟持素子が前記アダプタの前記第二嵌合部件に挟持する基体とを備え、
前記アダプタが前記基体上に摺動する場合は、前記アダプタが前記アダプタ固定素子を推動して、前記導引凹槽に沿って移動させ、且つ前記固定弾力部件を前記拘束槽から離脱させ、前記アダプタの第一嵌合部件と結合させる、
尚、前記アダブタが前記基体から離脱した場合は、前記アダプタ固定素子が最初位置に復帰移動する可換アダブタを備えたデジタルプレーヤーのインターフェース装置。
【請求項２】
前記アダブタが前記基体の末端迄に前記アダプタ固定素子を推動した場合は、前記アダプタ挟持素子と前記第二嵌合部件とが嵌め合いにより、前記アダブタを前記基体に固定させる請求項１に記載の可換アダブタを備えたデジタルプレーヤーのインターフェース装置。
【請求項３】
全体構成が同一で、異なるサイズの穿通孔を設けた別個のアダプタを含む請求項１に記載の可換アダブタを備えたデジタルプレーヤーのインターフェース装置。
【請求項４】
前記アダプタ固定素子において、さらに前記インターフェース装置のｙ方向にも移動可能なアダプタ載体とロック手段とを含み、
前記アダプタ載体に前記デジタルプレーヤーとのインターフェースとしての端子を設け、且つ、前記アダプタ載体と前記アダブタ固定素子の後壁との間に少なくとも一つ前記アダプタ載体に当接するバネ部品を有し、且つ前記デジタルプレーヤーと前記端子と接触した後は、前記端子を前記アダブタ固定素子内にｙ方向へ自由に移動させることができることによって、前記デジタルプレーヤーと前記端子との接触状態が維持できることを特徴とする請求項１に記載の可換アダブタを備えたデジタルプレーヤーのインターフェース装置。
【請求項５】
前記アダプタ載体と前記アダブタ固定素子の後壁との間におけるバネ部品は、圧縮バネであることを特徴とする請求項4に記載の可換アダブタを備えるデジタルプレーヤーのインターフェース装置。
【請求項６】
前記ロック手段は前記アダプタ載体下部に設けたガイド凸塊と、前記ガイド凸塊がY字型レールの字形に沿って移動することによって前記ロック手段の揺動方向案内に用いる可転動Y字型レール、及び前記アダブタ固定素子の内壁との当接によって、前記ロック手段の正逆方向揺動に伴って前記Y字型レールの位置及び角度を調整する自由端側を備えた弾性アームとを含む請求項4に記載の可換アダブタを備えるデジタルプレーヤーのインターフェース装置。
【請求項７】
前記弾性アームは、弾性材料で形成された延伸アームであることを特徴とする請求項6に記載の可換アダブタを備えるデジタルプレーヤーのインターフェース装置。
【請求項８】
前記弾性アームは、捻りバネであることを特徴とする請求項6に記載の可換アダブタを備えるデジタルプレーヤーのインターフェース装置。
【発明の詳細な説明】
【技術分野】
【０００１】
本発明は、可換アダブタを備えるデジタルプレーヤーのインターフェース装置、特に各種サイズのデジタルプレーヤーに適用する可換アダブタを備えるデジタルプレーヤーのインターフェース装置に関する。
【背景技術】
【０００２】
デジタルA／V技術の日増し成熟に伴って、今日に至り、数多のデジタルA／Mフォームが開発されていた。例えばMP3（ISO‐MPEG Audio Layer-3)、MP4 (MPEG-4)、RMVB (動態圧縮率のRMファイル) 等のデジタルA／Mフォームがあって、これらのA／Mフォームの体積が小さく、優れたA／V特性を有しており、更に、永久保存性を備えたフラッシュメモリー(flash memory)の普及になってきたので、これらのA／Mフォームをのみ放送するデジタルプレーヤーが開発されていた。
【０００３】
前記デジタルプレーヤーは、伝統のプレーヤーとは違い、主にフラッシュメモリー又は小型ハードディスクを儲存媒体とし、設計上、カセット或は光ディスクの体積を考慮する必要性はない。従って、デジタルプレーヤーの大きさは軽・薄・小型化で、デザインが優れている。特にAPPLE社のiPod（登録商標）シリーズ製品のプレーヤーは、最も代表的のものである。当該シリーズの商品が今ではデジタルプレーヤーのブランド品とも言える。
【０００４】
又、APPLE社がほとんど一年毎にバージョンアップの新しいiPodを発売する。そして、発売された前記市販品の人気がますます高まってきている。ミュージク放送及びメモリー機能を備えた前記デジタルプレーヤーは、消費者達はインターフェースを介して、それをコンピュータ、拡声器、テレビジョン及び自動車のA／V娯楽システムと連結することができ、テレビ及びA／Vチャンネルの鑑賞が可能となる。
【０００５】
しかし、前記デジタルプレーヤーの次から次へと開発、そして機能の改善をしていても、前記デジタルプレーヤーとコンピュータとの連結に用いるインターフェースに対して、尚も改良の可能性が大きい。例えば、デジタルプレーヤーとコンピュータを接続した場合、大抵基体外の装着方式となっていて、即ち、デジタルプレーやーには放送装置を置く安全なスペースはない。従って、軽・薄・小型化された放送装置本体は、周りの物品に干渉されやすく、壊されたこともある。それ以外に、放送装置を連結するための端子アダプタも容易にほこりが積もるので、接続の品質と外観にも影響する。
【０００６】
従って、安全でほこりが積もりにくい接続空間を提供するために、異なるサイズに適用するデジタルプレーヤー、そしてコンピュータとの情報交換および充電ができる一種の改良構造の開発は極めて必要である。
【０００７】
因って、本発明の技術者は、デジタルプレーヤーおよび電子機器のインターフェース例えばコンピュータインターフェースに対して研究を遂行し本発明を完成した。
【発明の概要】
【発明が解決しようとする課題】
【０００８】
本発明の主要目的は、可換アダブタを備えるデジタルプレーヤーのインターフェース装置を提供する。前記装置は：
デジタルプレーヤーを出入させる穿通孔を設け、且つ、両端部にそれぞれ第一嵌合部件及び第二嵌合部件とを備えたアダプタ(adapter)と、
下部表面に導引リブ(guiding
lib)及び凹槽(groove)とを備え 、且つ、前記凹槽内に固定弾力部件を設けたアダプタ固定素子(fixing element)及び
上部表面に導引凹槽と、拘束槽(restriction
groove)及びアダプタ挟持素子とを設け、前記アダプタ固定素子の導引リブをその導引凹槽内に摺動でき、その拘束槽は、前記アダプタ固定素子が最初位置にある場合は、前記固定弾力部件を容納し、前記アダプタが基体(chassis)上に位置する場合は、前記アダプタ挟持素子が前記アダプタの前記第二嵌合部件に挟持する基体とを備え、
前記アダプタが前記基体上に摺動する場合は、前記アダプタが前記アダプタ固定素子を推動して、前記導引凹槽に沿って移動させる、且つ前記固定弾力部件は前記拘束槽から離脱させ、前記アダプタの第一嵌合部件と結合させる。
【０００９】
尚、前記アダブタが前記基体から離脱した場合は、前記アダプタ固定素子が最初位置に復帰移動する。
【００１０】
尚、本発明による可換アダブタを備えるデジタルプレーヤーのインターフェース装置は、前記アダプタ挟持素子に弾性を備える故、前記アダブタを前記装置から脱着しようとするとき、針状部品たとえばクリップを用いて前記挟持素子を軽く押すことにより、前記アダプタの前記第二嵌合部件を拘束状態から脱離させる。
【００１１】
尚、本発明による可換アダブタを備えるデジタルプレーヤーのインターフェース装置において、前記アダブタは各種のデジタルプレーヤーの各種規格に適用するものに設計されることができる。又その輪郭に同じ外形を備えれば良い。しかし、この場合は、前記アダブタ内の前記穿通孔サイズを変化するように各種デジタルプレーヤーに適用させる。また、前記アダプタ固定素子と前記導引凹槽、前記拘束槽及び前記基体上のアダプタ挟持素子との連動によって、装着しようとするデジタルプレーヤーのサイズに基づいて適宜な規格のアダブタを選択することができる。
【００１２】
本発明による可換アダブタを備えるデジタルプレンーヤーのインターフェース装置は、前記アダプタ固定素子において、さらに前記インターフェース装置のｙ方向に移動可能なアダプタ載体とロック手段とを含み、
前記アダプタ載体に前記デジタル放送装置と、コンピュータ、スピーカー、テレビ、A／V娯楽系統等のインターフェースとする端子を設けており、且つ、前記アダプタ載体と前記アダブタ固定素子の後壁との間に少なくとも前記アダプタ載体に当接するバネ部品を有しており、又前記デジタルプレーヤーと前記端子と接触した後、前記端子を前記アダブタ固定素子内にｙ方向へ自由に移動させることができるので、前記デジタルプレーヤーと前記端子とは接触の状態に維持できる。
【００１３】
尚、本発明の前記ロック手段は、本技術に熟知されたあらゆるダブルプッシュ式ロック手段であってもよく、そして本発明では何らの制限はない。従って、前記ロック手段には例えば下記のような構成がある。即ち、前記ロック手段は前記アダプタ載体の下部に設けたガイド凸塊と、前記ガイド凸塊がY字型レールの字形に沿って移動することによって前記ロック手段の揺動方向の案内に用いる回転可能なY字型レール、及び、前記ロック手段の正逆方向の揺動に伴って前記Y字型レールの位置及び角度を調整するための前記アダブタ固定素子の内壁に当接する自由端側を備えた弾性アームとを含む。
【００１４】
よって、本発明による可換アダブタを備えるデジタルプレンーヤーのインターフェース装置は、デジタルプレーヤーをアダブタに装着しようとする場合、前記デジタルプレーヤーと前記端子との当接によって、前記アダブタ載体を推動し、y 方向へ移動させるように、前記ガイド凸塊の案内により前記ロック手段を前記デジタル放送装置の正方向に推移して位置付けを決める。又、プレーヤーをアダブタから離脱させようとする場合、デジタルプレーヤーをもう一度押して前記端子に当接し、そして前記ガイド凸塊を介してロック手段を逆方向に案内・推移することで前記デジタル放送装置を前記アダプタから離脱させる。
【００１５】
よって、本発明に係る可換アダブタを備えるデジタルプレンーヤーのインターフェース装置は、異なるサイズの各種デジタル放送装置に適用すると共に、デジタル放送装置に安全で容易に塵埃が集積しえない容納スペースを提供して、コンピュータ、スピーカー、テレピ及びA／V娯楽システム等との接続が安全で安定に行えられる。
【００１６】
本発明に係る可換アダブタを備えるデジタルプレンーヤーのインターフェース装置は、前記バネ部品に圧縮バネが使用される。従って、前記アダブタ載体は、前記アダブタ載体と前記アダプタ固定素子との内壁間に設けたバネ部品(圧縮バネ)により、前記アダブタ固定素子内に於いて自由に摺動できる。
【００１７】
本発明に係る可換アダブタを備えるデジタルプレンーヤーのインターフェース装置の前記ロック手段は、前記アダプタ固定素子内に枢接されている。前記ロック手段は、前記アダプタ固定素子内に枢接されている前記ロック手段及び前記アダプタ載体の下部に設けられた前記ガイド凸塊により、前記アダプタ載体が前記デジタル放送装置に押され、ｙ方向に移動する場合に、弾性的に正方向へ搖動するか、或いは、前記アダプタ載体が再び前記デジタル放送装置に押された場合に、逆方向に搖動させ、前記ロック手段からの離脱により、前記アダプタから放送装置を脱出させる。
【００１８】
本発明に係る可換アダブタを備えるデジタルプレンーヤーのインターフェース装置は、前記ロック手段のY字型レールと前記ガイド凸塊とを互いに閉鎖する故、前記ロック手段は定角度で正方向または逆方向に搖動する。また、前記Y字型レール上に設けられたV部分窪みは、前記ガイド凸塊が前記窪みに落下した場合に、前記ガイド凸塊を拘束すると共に、前記アダプタ載体の位置決めを成す故にデジタル放送装置を一定位置に導入に用いられる。又、前記デジタル放送装置が再び前記アダプタ載体に当接して前記アダプタ載体を推動する時は、前記ガイド凸塊が前記V部分窪み箇所から退出して拘束状態を解除すると共に、前記ロック手段上の前記弾性アームの弾力によって、前記ロック手段を逆方向に移動させ、前記アダプタ載体を未拘束位置に推動する。従って、デジタル放送装置が前記アダプタから離脱する。
【００１９】
尚、本発明に係る可換アダブタを備えるデジタルプレンーヤーのインターフェース装置における前記ロック手段の弾性アームは、弾性材料部材或は捻りバネで構成して、必要弾力を適宜に提供すればよい。又、前記弾性アームの自由端側は、前記アダプタ固定素子の内壁に当接されている故、前記ロック手段に対する復帰弾性力を提供する。
【００２０】
本発明に係る可換アダブタを備えるデジタルプレンーヤーのインターフェース装置の前記アダプタは、デジタル放送装置に適宜な容納スペースを提供する。従って、前記デジタル放送装置のアダプタのサイズは、要装着デジタル放送装置のサイズに会せて選択することができる。尚、前記アダプタ固定素子は、前記基体上において摺動して、放置されたアダプタのサイズに伴って位置の調整が可能である。よって、前記アダプタは、大・小デジタル放送装置の異なるサイズに合わせたアダプタに交換することが可である。又、前記アダプタ固定素子の位置も、前記異なるサイズのアダプタに適宜に調整できる。
【００２１】
本発明による可換アダブタを備えるデジタルプレンーヤーのインターフェース装置は、コンピュータ、テレビ、自動車用情報システム(car information system)、家庭A／V装置(home A/Ｖapplication)等の各種電子装置上に装着することができる。そして、デジタルプレーヤーと前記の電子装置との接続、情報交換又は充電などの動作を行うことができる。
【図面の簡単な説明】
【００２２】
【図１】本発明に係る可換アダブタを備えるデジタルプレーヤーのインターフェース装置の立体分解図である。
【図２】本発明に係る可換アダブタを備えるデジタルプレーヤーのインターフェース装置の断面図であって、前記アダブタが挿入していて、且つ前記アダブタ固定素子に固定される。
【図３】本発明に係る可換アダブタを備えるデジタルプレーヤーのインターフェース装置の断面図であって、前記アダブタが挿入していない、且つ前記アダブタ固定素子は最初位置に位置する。
【図４】本発明に係る可換アダブタを備えるデジタルプレーヤーのインターフェース装置のアダブタ固定素子の立体分解図である。
【図５】本発明に係る可換アダブタを備えるデジタルプレーヤーのインターフェース装置を自動車の前座パネル上に設置した状態を示す表現図である。
【図６】本発明に係る可換アダブタを備えるデジタルプレーヤーのインターフェース装置の別個の具体例であって、前記アダプタに異なるサイズの穿通孔を備える。
【図７】本発明に係る可換アダブタを備えるデジタルプレーヤーのインターフェース装置の透視図であって、デジタルプレーヤーを前記アダプタの穿通孔に挿入した時のロック状態を示す。
【図８】本発明に係る可換アダブタを備えるデジタルプレーヤーのインターフェース装置の透視図であって、デジタルプレーヤーを前記アダプタの穿通孔に挿入すると共に、前記アダプタ載体の端子に接触し、軸方向 (即ち、ｙ方向)に沿って前記アダプタ固定素子を装着した場合のロック状態を示す。
【図９】本発明に係る可換アダブタを備えるデジタルプレーヤーのインターフェース装置の透視図であって、デジタルプレーヤーを前記アダプタに挿入し、定着した場合のロック状態を示す。
【図１０】本発明に係る可換アダブタを備えるデジタルプレーヤーのインターフェース装置の透視図であって、デジタルプレーヤーを前記アダプタから取出す場合のロック状態を示す。
【図１１】本発明に係る可換アダブタを備えるデジタルプレーヤーのインターフェース装置の透視図であって、デジタルプレーヤーを前記アダプタから取出した場合のロック状態を示す。
【実施例１】
【００２３】
以下に、添付図面を参照して本発明を詳しく説明するが、これらの具体例は、本発明のために説明するだけであって、本発明の範囲を限定するものではない。
【００２４】
本発明において記述された“最初位置(home position) ”は、アダブタ未装着時における前記アダプタ固定素子の最初時点位置である。
【００２５】
本発明において記述された“y-方向” は、デジタルプレーヤーを前記インターフェース装置に入れるようとする方向を定義し、”x-方向” とは、デジタルプレーヤーの幅に沿った方向を定義し、” z-方向” は前記デジタル放送装置の厚さに沿った方向を定義する。
【００２６】
本発明において記述された“前”と “後”は、参照図面に示された方向であり、“正方向” は、図面においての右回り方向を云い、“逆方向”は、図面における左回り方向を云う。
【００２７】
図1〜図４を参照する。図 1は、本発明に係る可換アダブタを備えるデジタルプレーヤーのインターフェース装置の立体分解図である。図 2は、アダブタが入っており、且つ前記アダブタ固定素子に固定された本発明に係る可換アダブタを備えるデジタルプレーヤーのインターフェース装置の断面図である。図
3は、アダブタが入っていない、且つ前記アダブタ固定素子が最初位置にある本発明に係る可換アダブタを備えるデジタルプレーヤーのインターフェース装置の断面図である。図 4は、本発明に係る可換アダブタを備えるデジタルプレーヤーのインターフェース装置のアダブタ固定素子の立体分解図である。
【００２８】
これらの添付図示に示す如く、本発明に係る可換アダブタを備えるデジタルプレーヤーのインターフェース装置は、デジタルプレーヤーＰを軸方向に出入させる穿通孔11を設け、且つ、両端部にそれぞれ第一嵌合部件12及び第二嵌合部件13とを備えたアダプタ1と、下部表面に導引リブ21及び凹槽22とを備え 、且つ、前記凹槽22内に前記第一嵌合部件12との接合に用いられる固定弾力部件23(図2及び図3参照)を設けたアダプタ固定素子2、及び、上部表面に前記アダプタ固定素子2の導引リブ21をその中に摺動させる導引凹槽31と、前記固定弾力部件23を容納し、拘束する拘束槽32及びアダプタ1の第二嵌合部件13との接合に用いられるアダプタ挟持素子33とを設けた基体3とを備える。
【００２９】
前記基体は、前記アダブタを容納するために、他の設備の穿通孔を有しているスペース内に装着することが可能である。図５を参照する。図５は、本発明に係る可換アダブタを備えるデジタルプレーヤーのインターフェース装置を自動車の前座パネル上に装着した状態の斜視図であって、前記基体３は、前記自動車の前座パネルＤの内面に形成されたスペースＳ内に装着し、且つ前記前座パネルＤには前記スペースＳと連通する開口Ｏが形成されている。また、前記アダブタ１は前記開口Ｏから前記基体３上に装着する。
【００３０】
よって、前記アダプタ１が前記基体３に摺動して装着された場合、前記アダプタ固定素子2は前記アダブタ１に接触し、さらに前記アダブタ１に推動されることによって、導引凹槽31に沿って移動すれば、前記固定弾力部件23が前記基体３上の前記拘束槽32の拘束から離脱して、前記アダブタ１の前記第一嵌合部件12に接合し、さらに前記アダプタ固定素子2と共に移動する。前記アダプタ固定素子2が前記基体3の端部までに推動された場合は、前記アダプタ挟持素子33と前記第二嵌合部件13との接合によって、前記アダブタ１を前記基体3上に固定する（図２参照）。
【００３１】
尚、前記アダブタ１を前記の装置から離脱しようとする場合、例えばクリップのような針状物を用いて前記アダプタ挟持素子33を軽圧し、前記アダプタ挟持素子33を前記アダブタ１の前記第二嵌合部件13との接合から離脱させることで、使用者は前記アダブタ１を引き出すことが可能である。この場合、前記アダブタ１は尚も前記固定弾力部件23によって、固定されているため、前記アダプタ固定素子2と前記アダブタ１と共に前記固定弾力部件23が前記拘束槽32に復帰し、前記アダブタ１を釈放するまでに移動する。この場合、前記アダプタ固定素子2は、最初位置までに移動する。
【００３２】
本発明の具体例において、アダブタ１と同じ構造を有するが、穿通孔サイズが異なる別個のアダブタが開示されている。図６を参照する。図６には、本発明に係る可換アダブタを備えるデジタルプレーヤーのインターフェース装置の別個の具体例を示す。図６においてのアダブタ1’には異なるサイズの穿通孔11’を備える。前記アダブタ1’の穿通孔11’は異なるサイズを有するので、異なるサイズのデジタルプレーヤーP’を置くことが可能である。前記アダブタ１と前記アダブタ1’との構造には前記穿通孔11と前記穿通孔11’とのサイズが異なる以外、その他の構造は皆同一で、基体3に符合する。故に、使用者は前記アダブタ１、1’の取替えができ、異なるサイズのデジタルプレーヤーP、P’をそれぞれ放置することができる。図６には、前記アダブタ1’の前記穿通孔11’は、図4に示された前記アダブタ１の前記穿通孔11より小さいサイズがあるので、より小さいデジタルプレーヤーP’が放置できる。
【００３３】
本発明の具体例の前記アダプタ固定素子2には、前記装置のy方向に移動が可能なアダブタ載体24とロック手段25を含む。前記アダブタ載体24の前記アダブタ１と通じる側の上部に端子241が設けられ、前記アダブタ載体24は前記アダプタ固定素子2内壁と対応する内壁との間に、少なくとも一つのバネ部品201を設けているので、前記アダブタ載体24に対して、前記アダブタ１に向く弾性力が提供される。従って、デジタルプレーヤーPを前記穿通孔11に挿入した場合、前記デジタルプレーヤーPが前記端子241に接触し、且つ前記バネ部品201によって前記端子241が前記アダプタ固定素子2内において自由摺動できる。故に、前記デジタルプレーヤーPと端子241との接触が維持できる。因って、前記デジタルプレーヤーPを前記アダブタ１の穿通孔11に着装して前記端子241に接触した場合、前記アダブタ載体24は、前記デジタルプレーヤーPの推動により前記装置のy 方向へ移動する。前記バネ部品201から提供する圧縮力によって、前記デジタルプレーヤーPの端子と前記端子241を継続的に接触させる。逆に、デジタルプレーヤーPを前記アダブタ１から脱着する場合、前記アダブタ載体24は前記バネ部品201からの反駁弾性によって、デジタルプレーヤーPを前記アダブタ１から押し出す。
【００３４】
本発明において、前記ロック手段は、本技術に熟知されているあらゆるダブルプッシュ式のロック手段であってもよく、本発明では何らかの制限はない。例えば、前記ロック手段には下記のような構成がある。即ち、前記ロック手段25は、前記アダブタ載体24の下部のガイド凸塊242と、前記ガイド凸塊242がY字型レール251の字形に沿って移動することによって前記ロック手段25の揺動方向の案内に用いる回転可能なY字型レール251、及び前記アダブタ固定素子2の内壁リブ26との当接によって、前記ロック手段25の正逆方向揺動に伴って前記Y字型レール251の位置及び角度を調整する自由端側を備えた弾性アーム252とを含む。
【００３５】
次に、図7〜11を参照する。図７〜１１は、本発明に係る可換アダブタを備えるデジタルプレーヤーのインターフェース装置にデジタル放送装置を着装した場合の連続状態の断面図である。図7は本発明に係る可換アダブタを備えるデジタルプレーヤーのインターフェース装置の透視図であって、デジタルプレーヤーを前記アダプタの穿通孔に挿入した時のロック手段の状態図を示す。図8は本発明に係る可換アダブタを備えるデジタルプレーヤーのインターフェース装置の透視図であって、デジタルプレーヤーを前記アダプタの穿通孔に挿入すると共に、前記アダプタ載体の端子に接触し、そして軸方向 (即ち、ｙ方向)に沿って前記アダプタ固定素子を装着した場合のロック状態図を示す。
【００３６】
図9は本発明に係る可換アダブタを備えるデジタルプレーヤーのインターフェース装置の透視図であって、デジタルプレーヤーを前記アダプタに挿入・定着した場合のロック手段の状態図を示す。図10は本発明に係る可換アダブタを備えるデジタルプレーヤーのインターフェース装置の透視図であって、デジタルプレーヤーを前記アダプタから取り出そうとする場合のロック手段の状態図を示す。図 11は本発明に係る可換アダブタを備えるデジタルプレーヤーのインターフェース装置の透視図であって、デジタルプレーヤーを前記アダプタから取出した場合のロック状態図を示す。
【００３７】
前記図7を参照する。図において、前記デジタルプレーヤーPを本発明のデジタルプレーヤーのインターフェース装置のアダブタ１の穿通孔11に装着し、アダプタ載体24に対して接触状態になる以前のロック手段25は、無負荷状態の位置にある。即ち、前記ロック手段25と前記ガイド凸塊242と互いにロックしていない。図8には、前記デジタルプレーヤーPを本発明のデジタルプレーヤーインターフェース装置の内部へ続けて挿入した場合、前記デジタルプレーヤーPがアダブタ載体24の前記端子241に当接し、さらに前記端子241を押して内部に移動させる。この場合、前記ガイド凸塊242が前記ロック手段25の前記Y字型レール251に当接し、当該字型に沿って移動する同時にY字型レール251を推移し、ある角度まで回転させることによって、前記ロック手段25を正方向に搖動させる。図9には、前記ガイド凸塊242が前記Y字型レール251のV字部分左側の高点端箇所を越えた場合、前記アダブタ固定素子2内に設けた前記バネ部品201による反駁力、及び前記ロック手段25の前記弾性アーム252の自由端と前記アダブタ固定素子2内に設けた前記内壁リブ26との当接による反作用力によって、前記ガイド凸塊242がV字型窪みに落下して、前記デジタル放送装置Pを本発明のデジタルプレーヤーインターフェース装置の内部に定着する。即ち、前記ロック手段25と前記ガイド凸塊242との間に、ロック状態になる。
【００３８】
なお、図10において、前記デジタル放送装置Pを本発明の可換アダブタを備えるデジタルプレーヤーのインターフェース装置から離脱しようとする場合は、デジタル放送装置Pをさらに装置内に押し込めば、前記弾性アーム252の自由端と前記内壁リブ26との当接による反駁力により、前記ガイド凸塊242を推移し、Y字型レール251のV字型部分右側に沿って、当該端部を越えることで、前記ガイド凸塊242をY字型レール251の拘束から離脱させると共に、前記バネ部品201の弾力により、前記アダブタ載体24を外側に押し出すことで、デジタル放送装置Pを前記穿通孔11から脱出させる。従って、前記ロック手段25及び前記アダブタ載体24が元のところに復帰する(図11参照)。
【００３９】
本実施例において、ロック手段25の弾性アーム252は、弾力を備えた弾性材料を延伸させてなる弾性アーム252を用いて弾性力(図8参照)を提供し、前記弾性アーム252の非自由端(拘束端)は、前記アダブタ固定素子2上に固定し、、前記ロック手段25が前記自由端と前記アダブタ固定素子2内の内壁リブ26との当接によって、弾性反発力を発生させて、弾性的に往復揺動することが開示されている。しかし、前記ロック手段25の弾性アーム252は本発明において制限されていなく、捻りバネのような弾性部品を用いて弾性力を供給することも可能である。
【００４０】
従って、本発明に係る可換アダブタを備えるデジタルプレンーヤーのインターフェース装置は、コンピュータ、テレビ、自動車用情報システム(car information system)、家庭A／V装置(home A/Ｖapplication)等の各種電子装置上に設置することができる。
【００４１】
以上に述べたのは、本発明の好ましい実施例のみであって、本発明の実施の範囲を制限するものではない。よって、本発明の請求の範囲に述べる形状・構造・特徴と、当該発明主旨に基づく均等変化及び修飾は、本発明の請求の範囲に含まれることを主張すべきである。
【符号の説明】
【００４２】
１      アダプタ
１’    アダプタ
２      アダプタ固定素子
３      基体
１１    穿通孔
１１’  穿通孔
１２    第一嵌合部件
１３    第二嵌合部件
２１    導引リブ
２２    凹槽
２３    固定弾力部件
２４    アダブタ載体
２５    ロック手段
２６    内壁リブ
３１    導引凹槽
３２    拘束槽
３３    アダプタ挟持素子
２０１  バネ部品
２４１  端子
２４２  ガイド凸塊
２５１  Y字型レール
２５２  弾性アーム
Ｐ      デジタルプレーヤー
Ｐ’    デジタルプレーヤー
Ｄ      前座パネル
Ｏ      開口
Ｓ      スペース
【図１】
2010262724.tif 000003
【図２】
2010262724.tif 000004
【図３】
2010262724.tif 000005
【図４】
2010262724.tif 000006
【図５】
2010262724.tif 000007
【図６】
2010262724.tif 000008
【図７】
2010262724.tif 000009
【図８】
2010262724.tif 000010
【図９】
2010262724.tif 000011
【図１０】
2010262724.tif 000012
【図１１】
2010262724.tif 000013